(57)【特許請求の範囲】
【請求項１】
ケース本体と、このケース本体に対し開き位置と閉じ位置とに開閉切換可能に装着されロック部材によって閉じ位置にロックされる開閉蓋とを備え、
前記ケース本体と前記開閉蓋とのうち一方の部材には、前記開閉蓋が開き位置に配置されたときにカップ類を前記開閉蓋と協働して挿脱可能に保持するホルダ部材が設けられ、
前記開閉蓋と前記ケース本体との間には、前記開閉蓋が閉じ位置に配置されたときに小物類が挿脱可能に保持される開口部が形成されており、
前記開閉蓋が閉じ位置に配置切換されたときに前記開閉蓋と前記ケース本体との間に形成される前記開口部の近傍には、前記開閉蓋を閉じ位置にロックするロック部材をロック解除するためのロック解除用操作部が配設されていることを特徴とするカップホルダ装置。
【請求項２】
請求項１に記載のカップホルダ装置であって、
開閉蓋が閉じ位置に配置切換されたときに前記開閉蓋とケース本体との間に形成される開口部は、前記開閉蓋を手動操作によって開閉操作するときに指先が挿入可能な操作部として機能することを特徴とするカップホルダ装置。
【発明の詳細な説明】
【技術分野】
【０００１】
この発明は、カップ類（カップ、飲料水用缶、ペットボトル等）を保持する保持機能と、小物類（携帯電話器、たばこケース、免許証入れ、財布等）を保持する保持機能とを備えたカップホルダ装置に関する。
【背景技術】
【０００２】
カップ類を保持する機能と、小物類を保持する機能とを備えたカップホルダ装置においては、例えば、特許文献１に開示されている。
特許文献１に開示されたカップホルダ装置においては、携帯電話機を収容する電話機収容部を有する可動容器、可動容器を収容する容器収容部を有する本体、および本体に対して回動自在に接続された第１接続部と可動容器に対して回動自在に接続された第２接続部とを有し、可動容器を容器収容部の内部または外部で支持するフレームを備えている。
【先行技術文献】
【特許文献】
【０００３】
【特許文献１】特開２００４−２４９８３９号公報
【発明の概要】
【発明が解決しようとする課題】
【０００４】
ところで、特許文献１に開示されたカップホルダ装置においては、飲料水用ボトルを保持する必要のないときには、フレームによって可動容器を容器収容部の内部で支持している。
また、飲料水用ボトルを保持する必要のあるときには、本体に対しフレームを回動させながら可動容器を前方へ引き出さなければならない。
そして、フレームの端部を本体の底面に当接させてフレームの回動を抑止するとともに、当接支持部を本体の側縁に当接させて可動容器を支持しなければならず、これら操作が煩雑で使い勝手が悪い。
【０００５】
この発明の目的は、前記問題点に鑑み、簡単な操作によってカップ類を保持したり、小物類を保持することができ、使い勝手に優れるカップホルダ装置を提供することである。
【課題を解決するための手段】
【０００６】
前記課題を解決するために、この発明の請求項１に係るカップホルダ装置は、ケース本体と、このケース本体に対し開き位置と閉じ位置とに開閉切換可能に装着されロック部材によって閉じ位置にロックされる開閉蓋とを備え、
前記ケース本体と前記開閉蓋とのうち一方の部材には、前記開閉蓋が開き位置に配置されたときにカップ類を前記開閉蓋と協働して挿脱可能に保持するホルダ部材が設けられ、
前記開閉蓋と前記ケース本体との間には、前記開閉蓋が閉じ位置に配置されたときに小物類が挿脱可能に保持される開口部が形成されており、
前記開閉蓋が閉じ位置に配置切換されたときに前記開閉蓋と前記ケース本体との間に形成される前記開口部の近傍には、前記開閉蓋を閉じ位置にロックするロック部材をロック解除するためのロック解除用操作部が配設されていることを特徴とする。
【０００７】
前記構成によると、カップ類を保持する場合、ケース本体に対し開閉蓋が開き位置に配置切換されることで、開閉蓋とホルダ部材との協働によってカップ類が出入可能に保持される。
また、小物類を保持する場合、ケース本体に対し開閉蓋が閉じ位置に配置されることで、開閉蓋とケース本体との間に形成される開口部に小物類が出入可能に保持される。
前記したように、ケース本体に対し開閉蓋を開き位置と閉じ位置とに配置切換するという、極めて簡単な操作によって、カップ類を保持したり、小物類を保持することができ、使い勝手に優れる。
また、開閉蓋を閉じ位置にロックするロック部材をロック解除するためのロック解除用操作部が開閉蓋とケース本体との間に形成される開口部の近傍に配設されることで、ロック解除用操作部の操作が容易となる。
【０００８】
請求項２に係るカップホルダ装置は、請求項１に記載のカップホルダ装置であって、
開閉蓋が閉じ位置に配置切換されたときに前記開閉蓋とケース本体との間に形成される開口部は、前記開閉蓋を手動操作によって開閉操作するときに指先が挿入可能な操作部として機能することを特徴とする。
【０００９】
前記構成によると、開閉蓋を手動操作によって開閉するための専用の操作部を開閉蓋に配設する必要がなく、その分だけ構造が簡単となる。
【図面の簡単な説明】
【００１２】
【図１】この発明の実施例１に係るカップホルダ装置のケース本体に対し、開閉蓋が開き位置に配置された状態を示す斜視図である。
【図２】同じくケース本体、ロック部材、開閉蓋のインナ部材、アウタ部材、ホルダ部材等が分離された状態を示す分解斜視図である。
【図３】同じくケース本体に対し、開閉蓋が開き位置に配置された状態を示す側断面図である。
【図４】同じく開き位置に配置された開閉蓋のホルダ部の上面にホルダ部材が折り畳まれた状態を示す側断面図である。
【図５】同じくケース本体に対し、開閉蓋が閉じ位置に配置された状態を示す斜視図である。
【図６】同じくケース本体に対し、開閉蓋が閉じ位置に配置された状態を示す側断面図である。
【図７】同じくケース本体に対し、開閉蓋が開き位置から半閉じされた状態を示す側断面である。
【図８】同じくケース本体に対し、開閉蓋が閉じ位置の直前まで閉じられた状態を示す側断面図である。
【発明を実施するための形態】
【００１３】
この発明を実施するための形態について実施例にしたがって説明する。
【実施例１】
【００１４】
この発明の実施例１に係るカップホルダ装置を図面にしたがって説明する。
図１〜図３に示すように、カップホルダ装置は、ケース本体１０と、ロック部材３０と、開閉蓋４０と、ホルダ部材８０とを備えている。
【００１５】
ケース本体１０は、底壁部１１と、左右の両側壁部１２と、後壁部１３とを一体に有して上方及び前方（手前側）へ開口する箱形状に形成されている。
また、底壁部１１の前部には、開閉蓋４０を開閉軸４１を中心として開閉案内する側面形状が円弧状で横断面が凹凸面をなす蓋開閉案内用凹凸部１４が形成されている。
また、後壁部１３上部の幅方向（左右方向）中央部には、後に詳述するロック解除用操作部３６が前後動可能に挿通されるロック操作孔１５が貫設されている。さらに、後壁部１３上部の幅方向両側部近傍には、ロック部材３０のロック爪３５が挿通されるロック爪挿通孔２２が形成されている。
【００１６】
図２と図３に示すように、ケース本体１０の後壁部１３後面の下部には左右方向に所定間隔を隔てるブラケット片１６が後側へ向けて形成され、これら両ブラケット片１６の間に跨ってロック部材３０が、同ロック部材３０の下部に一体に形成された回動軸３１を中心として回動可能に装着されている。
ロック部材３０の上部の幅方向中央部には、後壁部１３のロック操作孔１５に前後動可能に挿通されるロック解除用操作部３６が設けられている。
さらに、ロック部材３０の上部の幅方向両側部には、後壁部１３のロック爪挿通孔２２に前後動可能に挿通されるロック爪３５が形成されている。
また、ロック部材３０は、そのロック爪３５がロック爪挿通孔２２を通して前方へ突出するロック方向へロックばね３２によって付勢されている。このロックばね３２は、ロック部材３０の開閉軸４１の外周面に巻回され、一端部がロック部材３０に掛け止めされ、他端部が後壁部１３に掛け止めされている。
【００１７】
図２と図３に示すように、ケース本体１０の左右の両側壁部１２の内壁面には、開閉蓋４０を閉じ位置で受け支える受け部１７ａを上部に有する左右の両蓋受け体１７が形成されている。
さらに、左右の両蓋受け体１７の内側面には、ホルダ部材８０を折り畳み案内する左右の両ホルダ折畳用案内部１９が形成されている。これら両ホルダ折畳用案内部１９の上面と前面には、開閉蓋４０の閉じ動作に伴って、ホルダ部材８０をほぼ水平状態からしだいに垂直状態をなす姿勢に案内する水平案内面２０と垂直案内面２１とがそれぞれ形成されている。
【００１８】
図１〜図３に示すように、ケース本体１０の左右の両側壁部１２の前部には、開閉蓋４０が開閉軸４１を中心として開閉動作されることで、開き位置と閉じ位置とに開閉切換可能に装着されている。
開閉蓋４０は、開放ばね４２によって開き位置に向けて付勢されると共に、ダンパ４３によって急激な開放が抑制されるようになっている。さらに、開閉蓋４０はロック部材３０によって閉じ位置にロックされる。
【００１９】
この実施例１において、開閉蓋４０は、インナ部材５０とアウタ部材５１とが一体状に結合されることで形成されている。
すなわち、開閉蓋４０のインナ部材５０は、左右の両側壁部５２と、連結壁５３と、有底半筒状の左右の両ホルダ部６０とを一体に有している。
インナ部材５０の左右の両側壁部５２は、ケース本体１０の左右の両側壁部１２の内側面に沿って配置される。
インナ部材５０の左右の両側壁部５２の外側面には、ボス部５５がそれぞれ形成され、これらボス部５５に、ケース本体１０の左右の両側壁部１２の貫通孔を通して開閉軸４１（段付きネジ）がねじ込まれることで、ケース本体１０に対しインナ部材５０（開閉蓋４０）が開閉軸４１を中心として開閉可能に装着される。
【００２０】
また、図２に示すように、インナ部材５０の左右の両側壁部１２のうち、一方の側壁部１２のボス部５５の外周には、開閉蓋４０を開き位置に向けて付勢する開放ばね４２が巻回され、この開放ばね４２の一端部がケース本体１０の所定位置に掛け止めされ、他端部が開閉蓋４０の所定位置に掛け止めされている。さらに、他方の側壁部１２には、これに対向するケース本体１０の側壁部１２に装着されたダンパ４３の歯車４４に噛み合う扇形歯車５６が開閉軸４１を中心とする円弧状をなして形成されている。
【００２１】
図２に示すように、インナ部材５０の左右の両側壁部１２には、開閉蓋４０が開き位置に配置された状態において、手前側上端部に跨って連結壁５３が上方へ向けて形成されている。そして、連結壁５３の突出端の左右部から、さらに上方へ向けて左右の両突出部５４が形成されている。
また、図３に示すように、連結壁５３の内面の左右部には、後述するホルダ部材８０を折り畳み位置に係脱可能に係止するホルダ係止凸部７４が形成されている。
【００２２】
図２と図３に示すように、インナ部材５０の左右の両側壁部１２の間には、開閉蓋４０が開き位置に配置された状態において、底壁部６１と円弧壁部６２とを有して後側へ開口する有底半筒状の左右の両ホルダ部６０が形成されている。
さらに、両ホルダ部６０の底壁部６１の後端は、ケース本体１０の底壁部１１の前端の蓋開閉案内用凹凸部１４に摺動可能に嵌合する凹凸部６３が形成されている。
【００２３】
図２と図３に示すように、開閉蓋４０のアウタ部材５１は、開閉蓋４０が開き位置に配置された状態において、左右の両ホルダ部６０の底壁部６１の下面に沿って配設される底壁部６５と、インナ部材５０の左右の両側壁部１２の前面及び連結壁５３の前側を覆うようにして配設された前壁部６６とを有して側断面Ｌ字状に形成されている。
前壁部６６の両端部には、インナ部材５０の連結壁５３の左右の両突出部５４の前側に重ね合わされて結合される突出部７２が形成されている。
インナ部材５０の連結壁５３の左右の両突出部５４と、アウタ部材５１の前壁部６６の左右の両突出部７２との間には、ロック部材３０の左右の両ロック爪３５が出入可能に嵌挿されるロック孔７３が形成されている。
また、アウタ部材５１の底壁部６５には、インナ部材５０の左右の両側壁部５２に突設された連結凸部５２ａが嵌合される結合孔を有する連結片６５ａが形成されている。
【００２４】
すなわち、この実施例１において、アウタ部材５１の底壁部６５の左右の両連結片６５ａの結合孔がインナ部材５０の左右の両連結凸部５２ａに嵌合され、アウタ部材５１の前壁部６６及び左右の両突出部７２と、インナ部材５０の連結壁５３及び左右の両突出部５４とが結合されことで、インナ部材５０とアウタ部材５１とが一体に連結され、これによって開閉蓋４０が構成される。
【００２５】
図２と図３に示すように、開閉蓋４０が開き位置に配置された状態において、左右の両ホルダ部６０の円弧壁部６２の円弧端部の上部には、ホルダ部材８０を折り畳み可能に装着するヒンジ部７５、７６が形成されている。
ホルダ部材８０には、開閉蓋４０が開き位置に配置された状態において、開閉蓋４０の左右の両ホルダ部６０と協働してカップ類Ｂ（カップ、飲料水用缶、ペットボトル等）を保持する左右の両円弧部８１が形成され、これら左右の両円弧部８１の円弧端部には、ヒンジ部８２、８３が形成されている。
そして、開閉蓋４０の左右の両ホルダ部６０のヒンジ部７５、７６と、ホルダ部材８０のヒンジ部８２、８３とがヒンジピン８５、８６によって回動可能に連結されることで、開閉蓋４０に対しホルダ部材８０がほぼ水平状をなすホルダ位置と、開閉蓋４０のホルダ部６０上に折り畳まれる折畳位置とに配置切換可能に装着されている。
【００２６】
また、この実施例１において、少なくとも一つのヒンジピン８５の軸回りには、ホルダ部材８０をホルダ位置に向けて付勢するホルダばね９２が巻回され、このホルダばね９２の一端部が開閉蓋４０側に掛け止めされ、他端部がホルダ部材８０に掛け止めされている。
なお、開閉蓋４０のホルダ部６０と、ホルダ部材８０との間には、ホルダ部材８０がホルダ位置に配置されたときに、これ以上のホルダ部材８０の回動を阻止してホルダ部材８０に保持するためのストッパ機構が適宜に配設される。
【００２７】
また、この実施例１において、図１と図２に示すように、ホルダ部材８０の左右の両円弧部８１の所定位置には、外径が異なるカップ類を安定よく保持するためのサポート体９０がピン９１を中心として回動可能に装着されている。
また、ホルダ部材８０がホルダ位置に配置された状態において、サポート体９０は、サポートばね（図示しない）によってほぼ水平状をなす位置に向けて付勢され、円弧部８１の中心に向けて突出すると共に、カップ類が挿入されることで、カップ類の外周面に押圧されてサポートばねの付勢力に抗して下向きに回動するようになっている。
【００２８】
図５と図６に示すように、ケース本体１０と開閉蓋４０との間には、開閉蓋４０が閉じ位置に配置されたときに携帯電話器、たばこケース、免許証入れ、財布等の小物類Ａが出入可能に保持される開口部７０が形成されている。
この実施例１において、開口部７０は、開閉蓋４０のアウタ部材５１の左右の両突出部７２の間に形成された切欠状部分７１とケース本体１０の後壁部１３との間に形成されている。
また、開口部７０は、開閉蓋４０を手動操作によって開閉操作するときに指先が挿入可能な操作部としても機能している。
また、開閉蓋４０が閉じ位置に配置されたときに、開口部７０の近傍に位置する部分となるケース本体１０の後壁部１３上部の幅方向中央部に、開閉蓋４０を閉じ位置にロックするロック部材３０のロック解除用操作部３６が配設されている。
【００２９】
この実施例１に係るカップホルダ装置は上述したように構成される。
したがって、カップ類Ｂを保持する場合、ロック解除用操作部３６を押し込み操作することによって、ロック部材３０がロックばね３２の付勢力に抗して回動軸３１を中心として後側へ回動され、これによって、ロック爪３５が開閉蓋４０のロック孔７３から抜け出る。
すると、図１〜図３に示すように、開閉蓋４０は、開放ばね４２の付勢力によって、開閉軸４１を中心として前方へ回動されて開き位置に配置切換される。
この際、ホルダ部材８０は、ホルダばね９２の付勢力によってヒンジピン８６を中心として回動され、ほぼ水平状をなすホルダ位置に配置される。
【００３０】
前記したようにして、ケース本体１０に対し、開閉蓋４０が開き位置に配置切換されることで、開閉蓋４０の左右の両ホルダ部６０と、ホルダ部材８０の左右の両円弧部８１との協働によってカップ類Ｂが出入可能に保持される。この際、カップ類Ｂの底部は、ホルダ部６０の底壁部６１で受けられる。
また、この実施例１において、ホルダ部材８０の左右の両円弧部８１にサポート体９０がピン９１を中心として回動可能に装着され、かつホルダばね９２によってほぼ水平状をなす位置に向けて付勢されている。
このため、外径が異なる多種類のカップ類の外周面をサポート体９０によって押圧してカップ類Ｂを安定よく保持することができる。
【００３１】
また、図４に示すように、開閉蓋４０が開き位置に配置された状態において、ホルダ部材８０をホルダばね９２の付勢力の抗してヒンジピン８５を中心として開閉蓋４０のホルダ部６０の上面に沿う折り畳み位置まで回動する。すると、開閉蓋４０の連結壁５３のホルダ係止凸部７４にホルダ部材８０が係脱可能に係止され、折り畳み位置に保持される。
開閉蓋４０が開き位置に配置され、ホルダ部材８０が折畳位置に配置された状態において、ケース本体１０に物品Ｃ（小物類）が収納される。
また、ホルダ部材８０を元のホルダ位置に配置切換する場合、ホルダ部材８０の幅方向（左右方向）の中央部に形成されたつまみ部を上方へ強制的に引き上げて開閉蓋４０の連結壁５３のホルダ係止凸部７４との係合を外すことで、ホルダ部材８０は、ホルダばね９２の付勢力によってヒンジピン８６を中心として回動され、ほぼ水平状をなすホルダ位置に配置される。
【００３２】
小物類Ａ（携帯電話器、たばこケース、免許証入れ、財布等の）を保持する場合、開閉蓋４０を開放ばね４２の付勢力に抗して開閉軸４１を中心として閉じ位置に向けて回動操作する。
開閉蓋４０が閉じ位置の直前位置まで回動されると、開閉蓋４０の左右の両突出部５４の下側をなす部分に形成された傾斜面に沿ってロック部材３０の左右のロック爪３５先端部が押圧されながら、ロック部材３０がロックばね３２の付勢力に抗し回動軸３１を中心としてロック解除方向（後側）へ回動される。
そして、開閉蓋４０の左右の両突出部５４の傾斜面がロック部材３０の左右の両ロック爪３５先端部を越え、左右の両ロック孔７３に達する閉じ位置まで開閉蓋４０が閉じられると、ロック部材３０がロックばね３２の付勢力によって回動軸３１を中心としてロック方向（前方）へ回動される。すると、ロック部材３０の左右の両ロック爪３５が開閉蓋４０の左右の両ロック孔７３に嵌挿される。これによって、開閉蓋４０が閉じ位置にロックされる。
また、開閉蓋４０を閉じ位置まで閉じられると、開閉蓋４０の自由端部下面がケース本体１０の左右の両蓋受け体１７の受け部１７ａによって受けられる。
【００３３】
一方、開閉蓋４０が開き位置から閉じ位置まで閉じられる間において、図７と図８に示すように、ケース本体１０の左右の両ホルダ折畳用案内部１９の水平案内面２０と垂直案内面２１によって、ホルダ部材８０が、ホルダばね９２の付勢力に抗しヒンジピン８５、８６を中心として回動しながら、ほぼ水平状態からしだいに垂直状態をなす姿勢に案内される。
そして、開閉蓋４０が開き位置に配置されると、ホルダ部材８０は、開閉蓋４０の連結壁５３のホルダ係止凸部７４と係合する直前でほぼ垂直状態をなして折り畳まれる。
【００３４】
図５と図６に示すように、ケース本体１０に対し、開閉蓋４０が閉じ位置に配置されることで、開閉蓋４０の切欠状開口部７１とケース本体１０の後壁部１３との間に開口部７０が形成される。
そして、開口部７０を出入口として、小物類Ａ（携帯電話器、たばこケース、免許証入れ、財布等の）が出入可能に保持される。
【００３５】
前記したように、ケース本体１０に対し開閉蓋４０を開き位置と閉じ位置とに配置切換するという、極めて簡単な操作によって、カップ類Ｂを保持したり、小物類Ａを保持することができ、使い勝手に優れる。
また、開閉蓋４０が閉じ位置に配置切換されたときに開閉蓋４０とケース本体１０との間に形成される開口部７０は、開閉蓋４０を手動操作によって開閉するときの指先が挿入可能な操作部としても機能する。
このため、開閉蓋４０を手動操作によって開閉操作するための専用の操作部を開閉蓋４０に配設する必要がなく、その分だけ構造が簡単となる。
【００３６】
また、開閉蓋４０を閉じ位置にロックするロック部材３０をロック解除するためのロック解除用操作部３６が、開閉蓋４０とケース本体１０との間に形成される開口部７０の近傍に配設されることで、ロック解除用操作部３６の操作が容易となる。
【００３７】
なお、この発明は前記実施例１に限定するものではなく、この発明の要旨を逸脱しない範囲内において、種々の形態で実施することができる。
例えば、前記実施例１においては、開閉蓋４０にカップ類に対するホルダ部材８０が折畳可能に配設される場合を例示したが、ホルダ部材８０をケース本体１０に折畳可能に配設することも可能である。
【符号の説明】
【００３８】
１０  ケース本体
３０  ロック部材
３１  ロック軸
３２  ロックばね
３５  ロック爪
３６  ロック解除用操作部
４０  開閉蓋
４１  開閉軸
４２  開放ばね
６０  ホルダ部
７０  開口部
７１  切欠状開口部
８０  ホルダ部材
８５、８６  ヒンジピン
８７  ホルダばね
【図１】
0005840536.tif 000002
【図２】
0005840536.tif 000003
【図３】
0005840536.tif 000004
【図４】
0005840536.tif 000005
【図５】
0005840536.tif 000006
【図６】
0005840536.tif 000007
【図７】
0005840536.tif 000008
【図８】
0005840536.tif 000009